(57)【特許請求の範囲】
【請求項１】
回転軸に固定された羽根車と、
前記回転軸を回転自在に支持する軸受と、
前記羽根車を収容するポンプケーシングと、
画像取得手段と、
前記画像取得手段を前記ポンプケーシング外部から前記ポンプケーシング内部の所定の点検箇所まで案内する導管と、
透明な液体を前記所定の点検箇所まで導く液体導入管と、
前記導管の内周面に緩やかに嵌合し、かつ前記導管を閉塞しない形状を有するガイド部材と、
前記ガイド部材に取り付けられ、該ガイド部材の前記導管内での移動を補助するワイヤとを備え、
前記ガイド部材は、前記画像取得手段に取り付けられていることを特徴とする立軸ポンプ。
【請求項２】
前記画像取得手段は、ファイバースコープ、水中カメラ、または内視鏡であることを特徴とする請求項１に記載の立軸ポンプ。
【請求項３】
前記導管は、前記液体が供給される液体供給口を有して前記液体導入管としても機能し、
前記導管の先端には、前記ポンプケーシング内部の取扱液が前記導管に流入することを制限する逆止弁が設けられていることを特徴とする請求項１に記載の立軸ポンプ。
【請求項４】
前記液体導入管は前記導管の内部に配置されていることを特徴とする請求項１に記載の立軸ポンプ。
【請求項５】
前記ガイド部材は、前記画像取得手段および前記液体導入管に取り付けられていることを特徴とする請求項４に記載の立軸ポンプ。
【請求項６】
請求項１に記載の立軸ポンプの点検方法であって、
前記導管内に設けた前記ガイド部材と前記ワイヤを用いて前記画像取得手段を所定の点検箇所に導いて画像を取得することを特徴とするポンプ点検方法。
【請求項７】
前記ガイド部材に前記液体導入管を取り付け、
前記画像取得手段とともに前記液体導入管を前記所定の点検箇所に導いて画像を取得することを特徴とする請求項６に記載のポンプ点検方法。
【請求項８】
前記ガイド部材に、画像取得時の光量を調節するための光源を取り付け、
前記画像取得手段とともに前記光源を前記所定の点検箇所に導いて画像を取得することを特徴とする請求項６に記載のポンプ点検方法。
【請求項９】
前記ガイド部材に、前記液体導入管と画像取得時の光量を調節するための光源とを取り付け、
前記画像取得手段とともに前記液体導入管および前記光源を前記所定の点検箇所に導いて画像を取得することを特徴とする請求項６に記載のポンプ点検方法。
【発明の詳細な説明】
【技術分野】
【０００１】
本発明は、河川水や排水などの液体を揚水する立軸ポンプ及びポンプ点検方法に関する。
【背景技術】
【０００２】
一般に、立軸ポンプは、水槽上部のポンプ据付床に設置され、吊下管を介して羽根車を収容するインペラケーシングが吊り下げられる。このような立軸ポンプは、ケーシング、羽根車や水中軸受が水中に没水した状態で運転され、運転時間の経過とともにこれらの部材が徐々に腐食、摩耗する。このため、立軸ポンプの点検作業を定期的に行って羽根車や水中軸受の摩耗具合やケーシングの腐食具合を確認し、必要に応じて補修または交換を行うことが必要となる。
【０００３】
しかしながら、部品の摩耗具合を確認するためには、立軸ポンプを解体し、クレーンなどにより立軸ポンプを引き上げる必要があり、高い作業費用と長時間の作業が必要となる。そこで、水中カメラやファイバースコープなどの画像取得手段を用いてポンプ内部の各部材の消耗状況をポンプ外部から視認する方法が提案されている。例えば、特許文献１には、ファイバースコープなどの画像取得手段を導管を通じてポンプ内部にまで導き、この画像取得手段を介して部品の摩耗具合を確認する構成が開示されている。
【０００４】
【特許文献１】特開２００６−１６１７９０号公報
【発明の開示】
【発明が解決しようとする課題】
【０００５】
しかしながら、ポンプの取扱液が汚水などの透明度の低い液体である場合は、液中に没している羽根車や水中軸受などの部品の摩耗具合を画像取得手段によって視認することが困難である。さらに、上述した導管が土砂などにより閉塞してしまった場合は、画像取得手段をポンプ内部にまで導くことができない。
【０００６】
本発明は、このような従来の問題点に鑑みてなされたもので、液質に影響されることなくポンプ内部に配置される部品の摩耗具合を作業員が画像取得手段を用いて容易に目視することができる立軸ポンプ及びポンプ点検方法を提供することを目的とする。
【課題を解決するための手段】
【０００７】
上述した目的を達成するために、本発明の一態様は、回転軸に固定された羽根車と、前記回転軸を回転自在に支持する軸受と、前記羽根車を収容するポンプケーシングと、画像取得手段と、前記画像取得手段を前記ポンプケーシング外部から前記ポンプケーシング内部の所定の点検箇所まで案内する導管と、透明な液体を前記所定の点検箇所まで導く液体導入管と、前記導管の内周面に緩やかに嵌合し、かつ前記導管を閉塞しない形状を有するガイド部材と、前記ガイド部材に取り付けられ、該ガイド部材の前記導管内での移動を補助するワイヤとを備え、前記ガイド部材は、前記画像取得手段に取り付けられていることを特徴とする立軸ポンプである。
【０００８】
本発明の好ましい態様は、前記画像取得手段は、ファイバースコープ、水中カメラ、または内視鏡であることを特徴とする。
本発明の好ましい態様は、前記導管は、前記透明な液体が供給される液体供給口を有して前記液体導入管としても機能し、前記導管の先端には、前記ポンプケーシング内部の取扱液が前記導管に流入することを制限する逆止弁が設けられていることを特徴とする。
本発明の好ましい態様は、前記液体導入管は前記導管の内部に配置されていることを特徴とする。
本発明の好ましい態様は、前記ガイド部材は、前記画像取得手段および前記液体導入管に取り付けられていることを特徴とする。
【０００９】
本発明の他の態様は、上記立軸ポンプの点検方法であって、前記導管内に設けた前記ガイド部材と前記ワイヤを用いて前記画像取得手段を所定の点検箇所に導いて画像を取得することを特徴とするポンプ点検方法である。
本発明の好ましい態様は、前記ガイド部材に前記液体導入管を取り付け、前記画像取得手段とともに前記液体導入管を前記所定の点検箇所に導いて画像を取得することを特徴とする。
本発明の好ましい態様は、前記ガイド部材に、画像取得時の光量を調節するための光源を取り付け、前記画像取得手段とともに前記光源を前記所定の点検箇所に導いて画像を取得することを特徴とする。
本発明の好ましい態様は、前記ガイド部材に、前記液体導入管と画像取得時の光量を調節するための光源とを取り付け、前記画像取得手段とともに前記液体導入管および前記光源を前記所定の点検箇所に導いて画像を取得することを特徴とする。
【００１０】
本発明の一参考例は、吸込水槽内に設置される立軸ポンプと、前記吸込水槽への液体の流入を防止する堰き止め機構と、前記吸込水槽から液体を排出する排水手段とを備え、前記立軸ポンプは、回転軸に固定された羽根車と、前記回転軸を回転自在に支持する軸受と、前記羽根車を収容するポンプケーシングと、画像取得手段を前記ポンプケーシング外部から前記ポンプケーシング内部の所定の点検箇所まで案内する導管とを有することを特徴とするポンプシステムである。
本発明の他の参考例は、上記立軸ポンプの点検方法であって、前記吸込水槽内の液面位置を前記所定の点検箇所よりも低下させてから、前記画像取得手段より所定の点検箇所の画像を取得することを特徴とするポンプ点検方法である。
本発明の他の参考例は、羽根車及びポンプケーシングを有する立軸ポンプと、前記立軸ポンプと吸込水槽とを連通させる吸込配管と、前記吸込配管に設置される弁機構と、前記ポンプケーシングから液体を排出する排水手段とを備え、前記立軸ポンプは、画像取得手段を前記ポンプケーシング外部から前記ポンプケーシング内部の所定の点検箇所まで案内する案内通路を有することを特徴とするポンプシステムである。
本発明の他の参考例は、上記立軸ポンプの点検方法であって、前記ポンプケーシング内の液体を排出してから前記画像取得手段より所定の点検箇所の画像を取得することを特徴とするポンプ点検方法である。
【発明の効果】
【００１１】
上述した本発明によれば、透明度の低い液体の影響を受けることなく、水中カメラやファイバースコープなどの画像取得手段を用いてポンプ内部の部品の摩耗具合や任意の点検箇所の状態を目視することが可能となる。
【発明を実施するための最良の形態】
【００１２】
以下、本発明の実施形態について図面を参照しながら説明する。
図１は本発明の第１の実施形態に係る立軸ポンプの全体構成を示す断面図である。
図１に示すように、立軸ポンプは、吸込ベルマウス１ａ及びポンプボウル１ｂを有するインペラケーシング１と、インペラケーシング１を水槽内に吊り下げる吊下管３と、吊下管３の上端に接続される吐出曲管４と、インペラケーシング１内に収容される羽根車１０と、羽根車１０が固定される回転軸６とを備えている。吊下管３は、水槽上部のポンプ据付床２２に形成されたポンプ挿通孔２４を通して下方に延び、吊下管３の上端に設けられた据付用ベース２３を介してポンプ据付床２２に固定される。回転軸（立軸）６は、吐出曲管４、吊下管３、及びインペラケーシング１内を通って鉛直方向に延びている。なお、インペラケーシング１及び吊下管３によりポンプケーシング２が構成される。
【００１３】
吸込ベルマウス１ａは下方を向いて開口し、吸込ベルマウス１ａの上端はポンプボウル１ｂの下端に固定されている。羽根車１０は回転軸６の下端に固定されており、羽根車１０と回転軸６とは一体的に回転するようになっている。この羽根車１０の上方（吐出側）には複数のガイドベーン１４が配置されている。これらのガイドベーン１４はポンプボウル１ｂの内周面に固定されている。回転軸６は外軸受１１および水中軸受１２，１５により回転自在に支持されている。水中軸受１２はポンプボウル１ｂに収容されており、水中軸受１５は吊下管３に収容されている。水中軸受１２を支持する支持部材７はボウルブッシュ１３の内面に固定されており、さらに、ボウルブッシュ１３はガイドベーン１４を介してインペラケーシング１に支持されている。また、水中軸受１５を支持する支持部材１７は、吊下管３の内周面に固定されている。水中軸受１２，１５は、回転軸６に滑り接触する、いわゆる滑り軸受である。なお、符号１９はハンドホールである。
【００１４】
回転軸６は吐出曲管４から上方に突出して、駆動源１８に連結されている。駆動源１８により回転軸６を介して羽根車１０を回転させると、水槽内の水（取扱液）が吸込ベルマウス１ａから吸い込まれ、ポンプボウル１ｂ、吊下管３、吐出曲管４を通って図示しない吐出配管に移送される。なお、立軸ポンプ運転時においては、羽根車１０や水中軸受１２を収容するインペラケーシング１は、液面よりも下に位置している。
【００１５】
吐出曲管４、吊下管３、及びインペラケーシング１の側方には、ファイバースコープ（画像取得手段）２７をインペラケーシング１の内部に案内するための導管２５が設けられている。なお、本実施形態では画像取得手段としてファイバースコープを用いる例について説明するが、画像取得手段はファイバースコープに限られず、水中カメラなどの同等の機能を有する機器を用いることもできる。導管２５は所定の消耗部品（点検箇所）近傍のポンプの内部と連通している。例えば、導管２５の一方の端部（先端）は羽根車１０とガイドベーン１４との間に位置しており、他方の端部（挿入口）２５ａは、ポンプ据付床２２の上方に位置している。この導管２５は液体供給口２５ｂを有しており、この液体供給口２５ｂには、ファイバースコープや水中カメラなどによる撮像を妨げない程度の透明度を有する液体をインペラケーシング１内に供給する液体供給源３０が連結されている。例えば、液体供給源３０には、清水、温水（取扱液よりも温度の高い水）、アルコールなどの透明な液体が貯留されている。または液体供給源３０は別途貯留設備を接続するための接続口を有している。羽根車１０、ガイドベーン１４などの部品の摩耗具合を点検する際には、液体供給源３０から導管２５を介してインペラケーシング１内に透明な液体が注入（導入）される。このように、本実施形態においては、導管２５は液体導入管としても機能する。
【００１６】
図２（ａ）は図１に示す導管内に挿入されたファイバースコープの先端を示す拡大側面図であり、図２（ｂ）は図２（ａ）に示す矢印II方向から見た図である。図２（ａ）及び図２（ｂ）に示すように、ファイバースコープ２７の先端近傍の部位には、導管２５の内周面に緩やかに嵌合するガイド部材３１が取り付けられており、このガイド部材３１には導管２５内でのガイド部材３１の移動を補助する棒線材としてのワイヤ３２が取り付けられている。このワイヤ３２を導管２５の内部に繰り出すことにより、ファイバースコープ２７の先端をインペラケーシング１の内部にまで移動させ、所定の点検箇所の画像を取得する。その後、ワイヤ３２を引き抜くことにより、ファイバースコープ２７を引っ張ることなく、取り出しが可能であり、ファイバースコープ２７に無理な力が加わらず、機器の故障を防ぐことができる。なお、ファイバースコープに代えて水中カメラを用いる場合も、ワイヤ３２を引き抜くことにより、水中カメラや配線に無理な力を加えることなく取り出しが可能である。
【００１７】
導管２５の内径は、ファイバースコープ２７の動きを妨げることがないようにファイバースコープ２７の直径よりもある程度大きく設定されている。部品の摩耗具合などを調べるとき（以下、単に点検時という）には、液体供給源３０から導管（液体導入管）２５を通じてインペラケーシング１内に液体が注入される。挿入口２５ａには、ファイバースコープ２７の動きを許容しつつ液体の流出を防止するための図示しないシール部材が装着されている。なお、図２（ｂ）に示すように、ガイド部材３１は、液体の流通を妨げることのないように導管２５を閉塞しない形状を有している。
【００１８】
図３（ａ）は図１に示す導管の端部の拡大図であり、ポンプ運転時の状態を示す。図３（ｂ）は図１に示す導管の端部の拡大図であり、点検時の状態を示す。図３（ａ）及び図３（ｂ）に示すように、導管２５の先端（開口部）には逆流防止機構として逆止弁２８が設けられている。この逆止弁２８は導管２５からポンプケーシング２（インペラケーシング１）内に向かう液体の流れのみを許容する。
【００１９】
図３（ａ）に示すように、ポンプ運転時には逆止弁２８は閉じており、ポンプケーシング２（インペラケーシング１）内の取扱液（例えば汚水）が導管２５へ流入することが制限される。したがって、汚水に含まれる土砂や塵芥などによる導管２５の閉塞が防止される。一方、図３（ｂ）に示すように、点検時には、液体供給源３０から供給される透明な液体及び／又はファイバースコープ２７により逆止弁２８が開き、ファイバースコープ２７の先端部がインペラケーシングの内部に位置する。
【００２０】
ファイバースコープ２７を用いてインペラケーシング１内の部品の摩耗具合を調べる作業は次のようにして行われる。点検作業の間は、羽根車１０の回転は停止される。導管２５を介して透明な液体をインペラケーシング１内に注入し、さらにファイバースコープ２７を挿入口２５ａから導管２５に挿入する。液体導入管として機能する導管２５の先端から排出される透明な液体は、ファイバースコープ２７の先端部周囲の汚水や塵芥を排除し、これにより、インペラケーシング１の内部の液体の透明度が増す。この状態で、ファイバースコープ２７を用いて羽根車１０などの部品の摩耗具合などの状態を目視する。なお、画像取得手段として水中カメラを用いた場合も同様の動作である。
【００２１】
導管（液体導入管）２５に導入される透明な液体として温水を用いた場合、温度差により汚水は下へ、温水は上に移動する。このような液体の移動により汚水と透明な液体との置換が行われ、点検対象の部品の周囲に存在する液体の透明度を上げることができる。なお、導管２５及び液体導入管の設置位置は羽根車１０とガイドベーン１４との間に限られず、点検対象の部品に応じて適宜決定される。例えば、水中軸受１２，１５が点検対象である場合には、これら水中軸受１２，１５の近傍に導管２５及び液体導入管の先端が位置するように設置される。また、導管及び液体導入管を複数箇所に設けてもよい。
【００２２】
図４は本発明の第２の実施形態に係る立軸ポンプを示す図であり、図５は図４に示す導管及び液体導入管の先端を示す拡大図である。なお、特に説明しない本実施形態の構成及び動作は、第１の実施形態と同様であるので、その重複する説明を省略する。
【００２３】
本実施形態では、導管２５と液体導入管２９は別に設けられている。すなわち、図４に示すように、吐出曲管４、吊下管３、及びインペラケーシング１の側方には、ファイバースコープ２７をインペラケーシング１の内部に案内するための導管２５と、透明な液体をインペラケーシング１内に注入（導入）するための液体導入管２９とが設けられている。この導管２５及び液体導入管２９は互いに隣接して配置され、いずれもインペラケーシング１の内部と連通している。導管２５及び液体導入管２９の一方の端部（先端）は羽根車１０の近傍に位置しており、他方の端部（挿入口２５ａ及び液体導入口２９ａ）は、ポンプ据付床２２の上方に位置している。この液体導入口２９ａには液体供給源３０が連結されている。
【００２４】
図５に示すように、導管２５及び液体導入管２９の先端部は互いに隣接して配置されており、導管２５の先端部は液体導入管２９の先端部の上方に位置している。本実施形態においても、液体導入管２９を通じて透明な液体をインペラケーシング１内に供給することができ、これにより点検対象となる部品（羽根車１０やガイドベーン１４など）の周囲の液体の透明度を上げることができる。なお、本実施形態においても、導管２５及び液体導入管２９の先端部の位置は、羽根車１０とガイドベーン１４との間に限られず、必要に応じて変更することが可能である。
【００２５】
図６（ａ）は本発明の第３の実施形態における導管及び液体導入管の先端を示す側面図であり、図６（ｂ）は図６（ａ）の矢印VIが示す方向からの図である。なお、特に説明しない本実施形態の構成及び動作は、上述した第２の実施形態と同様であるので、その重複する説明を省略する。
【００２６】
図６（ａ）及び図６（ｂ）に示すように、本実施形態においては、液体導入管として、液体導入チューブ３５が用いられている。この液体導入チューブ３５は導管２５の内部に配置されている。ファイバースコープ２７及び液体導入チューブ３５は略並行に配置され、それらの先端近傍には、導管２５内でのファイバースコープ２７及び液体導入チューブ３５の動きを案内するガイド部材３１が取り付けられている。このガイド部材３１には、上記第２の実施形態と同様に、ワイヤ３２が接続されている。なお、液体導入チューブ３５は、導管２５内での自身の動きを妨げることがない程度にしなやかに撓むように構成されている。
【００２７】
このように構成される本実施形態によれば、導管２５の一部がシルトなどにより閉塞した場合であっても、その閉塞部分に液体導入チューブ３５から透明な液体を直接当て、局所洗浄することにより、導管２５の閉塞を解消することができる。この場合、透明な液体としてやや高圧の液体を用いることが好ましい。また、本実施形態の構成によれば、導管２５を複数有するポンプにおいても、液体供給源３０は複数設ける必要はなく、また、挿入口２５ａについては、特別なシール構造を用いる必要がなく、設備の簡素化が可能となる。また、液体導入チューブ３５に代えて、または加えて、ＬＥＤなどの光源をガイド部材３１に取り付けることにより、画像取得に必要な光量を調整してもよい。例えば、図６（ｃ）に示すように、ガイド部材３１にファイバースコープ２７、液体導入チューブ３５、光源３６の３つを取り付けてもよい。
【００２８】
図７（ａ）は本発明の第１の参考例に係るポンプシステムを示す模式図であり、図７（ｂ）は点検時の様子を示す模式図である。
図７（ａ）に示すように、吸込水槽４１内には立軸ポンプ４０が設置されている。この立軸ポンプ４０の基本的構成は、図１に示す構成と同一である。本参考例においても、立軸ポンプ４０に沿って導管２５が設置されている。
【００２９】
吸込水槽４１内には、立軸ポンプ４０に流入する取扱液を堰き止める堰き止め機構４２が設けられている。この堰き止め機構４２は立軸ポンプ４０の上流側に位置している。また、吸込水槽４１の底部には、堰き止め機構４２と立軸ポンプ４０との間に位置して、水抜用の排水手段としての水中ポンプ４３が設置されている。なお、堰き止め機構４２としては、ゲートまたは弁機構などが用いられる。
【００３０】
本参考例においては、立軸ポンプ４０内部の所定の部品（羽根車、ガイドベーン、水中軸受など）の点検作業は次のようにして行われる。まず、立軸ポンプ４０の運転を停止し、次いで、図７（ａ）に示すように、堰き止め機構４２を閉じて吸込水槽４１への液体の流入を止める。次に、水中ポンプ４３を作動させ、吸込水槽４１内の液体を汲み上げる。汲み上げた液体は、堰き止め機構４２の上流側または吐出水槽（図示せず）に移送される。吸込水槽４１内の液面位置が点検対象となる部品よりも下方にまで下がったときに水中ポンプ４３を停止させる（図７（ｂ）参照）。そして、導管２５にファイバースコープ２７を挿入し、ポンプケーシング２内に配置された部品の摩耗具合や任意の点検箇所の状態を目視する。この状態では、点検対象の部品の周囲に液体（汚水）が存在しないので、汚水や塵芥の影響を受けることなく点検作業を行うことができる。また、汚水に含まれる塵芥や錆等により点検箇所の表面が汚れている場合には、上述の液体導水装置（液体導入管２９および液体供給源３０）を用いて、点検箇所の洗浄を行い、画像を取得するようにしてもよい。
【００３１】
図８は本発明の第２の参考例に係るポンプシステムを示す模式図である。なお、特に説明しない本参考例の構成及び動作は、上述した第１の参考例と同様であるので、その重複する説明を省略する。なお、本参考例で使用される立軸ポンプ４０は、立軸渦巻斜流ポンプである。
【００３２】
図８に示すように、立軸ポンプ４０は吸込水槽４１の外に設置されており、吸込配管４５を介して吸込水槽４１に連結されている。この吸込配管４５には吸込側弁４６が設けられており、この吸込側弁４６を閉じると吸込水槽４１から立軸ポンプ４０への液体の流通が遮断される。また、立軸ポンプ４０は吐出配管４７を介して図示しない吐出水槽に連結されている。この吐出配管４７には吐出側弁４８が設けられており、この吐出側弁４８を閉じると立軸ポンプ４０から吐出水槽への液体の流通が遮断される。
【００３３】
吸込配管４５には抜水ライン５０を介して排出手段としての、例えば抜水ポンプ４４が連結されている。この抜水ライン５０が吸込配管４５に接続される接続点は、吸込側弁４６と立軸ポンプ４０との間に位置している。ポンプケーシング２には、その内部に配置されている羽根車などの消耗部品にファイバースコープ２７を案内する挿入口（案内通路）５１が設けられている。立軸ポンプ４０の運転時には、この挿入口５１は図示しない閉塞具によって閉塞されている。
【００３４】
本参考例においては、立軸ポンプ４０内部の所定の部品（羽根車など）の点検作業は次のようにして行われる。まず、立軸ポンプ４０の運転を停止し、次いで、吸込側弁４６及び吐出側弁４８を閉じる。次に、抜水ポンプ４４を作動させ、立軸ポンプ４０（ポンプケーシング２）から液体を排出する。抜水ポンプ４４から排出される液体は、吸込水槽４１または吐出水槽に移送される。ポンプケーシング２から液体が除去されたときに抜水ポンプ４４を停止させる。そして、挿入口５１にファイバースコープ２７を挿入し、ポンプケーシング２内に配置された部品の摩耗具合などを目視する。このように、本参考例においても、点検対象の部品の周囲に液体が存在しないので、汚水や塵芥の影響を受けることなく点検作業を行うことができる。なお、上述した参考例と同様に、挿入口５１に代えて導管を設けてもよい。また、汚水に含まれる塵芥や錆等により点検箇所の表面が汚れている場合には、上述の液体導水装置（液体導入管２９および液体供給源３０）を用いて、点検箇所の洗浄を行い、画像を取得するようにしてもよい。
【００３５】
上記実施形態および参考例は適宜組み合わせることが可能である。例えば、第１の実施形態の逆止弁を、第３の実施形態の導管に設けてもよい。また、第３の実施形態の液体導入チューブを第１の参考例の導管に配置してもよい。なお、上述した実施形態および参考例では、画像取得手段としてファイバースコープが用いられているが、先端にＣＣＤカメラを具備した内視鏡（マイクロスコープまたはエンドスコープ）や水中カメラなどを用いてもよい。
【００３６】
これまで本発明の実施形態について説明したが、本発明は上述の実施形態に限定されず、その技術的思想の範囲内において種々異なる形態にて実施されてよいことは言うまでもない。
【図面の簡単な説明】
【００３７】
【図１】本発明の第１の実施形態に係る立軸ポンプを示す断面図である。
【図２】図２（ａ）は図１に示す導管内に挿入されたファイバースコープの先端を示す拡大側面図であり、図２（ｂ）は図２（ａ）に示す矢印II方向から見た図である。
【図３】図３（ａ）は図１に示す導管の端部の拡大図であり、ポンプ運転時の状態を示す。図３（ｂ）は図１に示す導管の端部の拡大図であり、点検時の状態を示す。
【図４】本発明の第２の実施形態に係る立軸ポンプを示す図である。
【図５】図４に示す導管及び液体導入管の先端を示す拡大図である。
【図６】図６（ａ）は本発明の第３の実施形態における導管及び液体導入管の先端を示す側面図であり、図６（ｂ）は図６（ａ）の矢印VIが示す方向からの図であり、図６（ｃ）は本実施形態の他の構成例を示す図である。
【図７】図７（ａ）は本発明の第１の参考例に係るポンプシステムを示す模式図であり、図７（ｂ）は点検時の様子を示す模式図である。
【図８】本発明の第２の参考例に係るポンプシステムを示す模式図である。
【符号の説明】
【００３８】
１      インペラケーシング
１ａ    吸込ベルマウス
１ｂ    ポンプボウル
２      ポンプケーシング
３      吊下管
４      吐出曲管
６      回転軸
７，１７    支持部材
１０      羽根車
１１      外軸受
１２，１５    水中軸受
１３      ボウルブッシュ
１４      ガイドベーン
１６      駆動軸
１８      駆動源
１９      ハンドホール
２２      ポンプ据付床
２３      据付用ベース
２４      ポンプ挿通孔
２５      導管
２５ａ    挿入口
２５ｂ    液体供給口
２７      ファイバースコープ（画像取得手段）
２８      逆止弁
２９      液体導入管
３０      液体供給源
３１      ガイド部材
３２      メッセンジャーワイヤ
３５      液体導入チューブ
３６      光源
４０      立軸ポンプ
４１      吸込水槽
４２      堰き止め機構
４３      水中ポンプ
４４      抜水ポンプ
４５      吸込配管
４６      吸込側弁
４７      吐出配管
４８      吐出側弁
５０      抜水ライン
５１      挿入口
【図１】
0005243751.tif 000002
【図２】
0005243751.tif 000003
【図３】
0005243751.tif 000004
【図４】
0005243751.tif 000005
【図５】
0005243751.tif 000006
【図６】
0005243751.tif 000007
【図７】
0005243751.tif 000008
【図８】
0005243751.tif 000009